(57)【要約】      （修正有）【課題】氷菓を食するための容器として実用的なだけでなく、外観装飾性が高くファッショナブルな氷菓用ハンディカップを提供する。【解決手段】氷菓を盛り付ける樹脂製のトレイ４と、このトレイ４が載置可能な開口を備えた紙製のトレイホルダー１とから概略構成する。樹脂製のトレイ４は扁平で中央部分が緩やかに凹んだ底浅に形成し、トレイホルダー１は、このトレイ４を略水平に保持する上面が開口された倒立錐形状のトレイ保持部と、このトレイ保持部に垂下して設けられた柱状のグリップハンドル３とから構成する。【選択図】図１
0003166536.tif 000002
【実用新案登録請求の範囲】
【請求項１】
アイスクリームやフラッペ等の氷菓が盛付け可能なトレイと、このトレイを略水平に保持する上面が開口された倒立錐形状のトレイ保持部と、このトレイ保持部に垂下して設けられたグリップハンドルとからなることを特徴とする氷菓用ハンディカップ。
【請求項２】
トレイが樹脂製で、トレイ保持部とグリップハンドルが紙製であることを特徴とする請求項１記載の氷菓用ハンディカップ。
【請求項３】
トレイ保持部の角隅部に、トレイの一部が挿入可能な透孔を有する折り返し可能なトレイ係止片を設けたことを特徴とする請求項１又は請求項２記載の氷菓用ハンディカップ。
【考案の詳細な説明】
【技術分野】
【０００１】
本考案は、アイスクリームやフラッペ（かき氷の上にアイスクリームや果物などをのせた冷たい菓子）等の氷菓の販売用容器に関し、とくに、需要者の購買意欲の喚起促進を目的とする氷菓用ハンディカップに関するものである。
【背景技術】
【０００２】
従来、アイスクリームなどの氷菓を喫食するための容器として、紙製のカップや屋外においても手に持つことができる逆円錐形のコーンが良く知られているように、氷菓の販売者側においては、売り易さを考慮した容器が種々開発されている。また、需要者側からは、氷菓を特別な道具を用いることなく、屋外でも立ったまま、あるいは歩行しながら気軽に喫食できることも要求される。
【０００３】
とくにフルーツなどを盛り合わせたフラッペのようにテクスチャーや美観に優れた氷菓を盛り付けるための容器は、外観意匠も重要であるばかりでなく、その容器は外から内容物が覗えること、氷菓のテクスチャーを生かした状態で十分な量を収容できることなども購買意欲を刺激する要件となる。
【０００４】
アイスクリームを包装する技術として従来知られているものは、プラスチック等の材料を使用して形成した容器に直接詰めたもの、箱などに詰めたもの、コーンに盛ってプラスチック等の材料を使用して形成した容器に収納したものなどであった（例えば、特許文献１参照。）。また、逆円錐形のコーンカップにアイスクリームを充填し、コーンカップ上部にアイスクリームを盛り上げた氷菓用の容器で、コーンと同形の容器本体の上部に外向きフランジ状の破断帯を付設し、この破断帯周縁から上筒部を上方に起立させたもの（例えば、特許文献２）、アイスクリームを盛り込んだコーンを収納する紙製容器本体と、合成樹脂性の蓋体と、蓋体係止用筒体とからなるアイスクリーム容器（例えば、特許文献３）、逆円錐形状の氷菓容器をテーブル等に載置できるように、容器本体から外して倒立させて連結可能にした脚台を備えたもの（例えば、特許文献４）が知られている。一方、従来から洋菓子等の持ち運びには、様々なトレイ及びキャリーケースが使用されている。そしてこれらのトレイやケースの殆どが紙等からなるもので、使用するまでは折り畳んで保管され、使用時に素早く簡単に組み立てられるようにされている。
【先行技術文献】
【特許文献】
【０００５】
【特許文献１】実公昭６１−３７６７３号公報
【特許文献２】実公昭６２−３８９５３号公報
【特許文献３】実公平０４−３７１０９号公報
【特許文献４】実公昭６２−２９４２２号公報
【考案の概要】
【考案が解決しようとする課題】
【０００６】
しかしながら、従来用いられているカップなどの容器は外から中身が見え難く、また十分な量を収納するために容器の容積自体を大きくしたのでは、食べ難くなるという課題があった。また、フラッペのようにふわふわしたテクスチャーの氷菓をカップ内に押し固めてしまっては意味をなさない。本考案は、上記のような従来技術の問題点に鑑み、氷菓を食するための容器として実用的、かつ外観装飾性が高くファッショナブルな氷菓用ハンディカップを提供することを目的とするものである。
【課題を解決するための手段】
【０００７】
このため本考案の氷菓用ハンディカップは、アイスクリームやフラッペ等の氷菓が盛付け可能なトレイと、このトレイを略水平に保持する上面が開口された倒立錐形状のトレイ保持部と、このトレイ保持部に垂下して設けられたグリップハンドルとからなることを第１の特徴とする。また、トレイが樹脂製で、トレイ保持部とグリップハンドルが紙製であることを第２の特徴とする。さらに、トレイ保持部の上面開口の角隅部に、トレイの一部が挿入可能な透孔を有する折り返し可能なトレイ係止片を設けたことを第３の特徴とする。
【考案の効果】
【０００８】
本考案は以上のように構成したので、以下のような優れた効果を有する。
（１）外観意匠が大胆かつ華美で観者に強い印象を与え、中身も明瞭に観察でき需要者の購買意欲を促進し高い顧客吸引力を発揮できる。
（２）組立てが簡単でありながら載積強度も強く、氷菓のテクスチャーを生かした状態で十分な量を盛り付けることができる。
（３）特別な道具を用いることなく、屋外でも立ったまま、あるいは歩行しながら気軽にかつファッショナブルに視覚的に楽しみながら喫食できる。
（４）トレイ保持部の上面開口の角隅部にトレイの一部が挿入可能な透孔を有する折り返し可能なトレイ係止片を設けたので、トレイの固定力、ホルダーの保形力ともに増す。
【図面の簡単な説明】
【０００９】
【図１】本考案に係る氷菓用ハンディカップの分解斜視図である。
【図２】（ａ）はトレイ保持部、（ｂ）はグリップハンドル部の展開図である。
【図３】トレイの角とトレイ係止片の関係を示す要部拡大斜視図である。
【図４】本考案に係る氷菓用ハンディカップの使用状態を示す斜視図である。
【考案を実施するための形態】
【００１０】
以下、図面に示す実施例に基づいて本考案の実施の形態を説明する。
【実施例】
【００１１】
図１に示すように、本考案に係る氷菓用ハンディカップは、氷菓５を盛り付ける樹脂製のトレイ４と、このトレイ４が載置可能な開口を備えた略漏斗状のトレイホルダー１とから構成されている。
【００１２】
本実施例において、樹脂製のトレイ４の形状は扁平で中央部分が緩やかに凹んだ底浅で平面視矩形（正方形）状に形成されている。このトレイ４を使用することで、氷菓５のテクスチャーを生かした状態で十分な量を収容できる。つまり、フラッペであれば雪のようなふわふわした食感が生かされた状態で且つたっぷり盛り付けることができる。トレイホルダー１は、このトレイ４を略水平に保持する上面が開口された倒立錐形状のトレイ保持部２と、このトレイ保持部２に垂下して設けられた柱状のグリップハンドル３とからなり、これらは紙製である。
【００１３】
図２に示すように、トレイ保持部２を展開すると、略扇形の側板が四面連接された状態となり、これら各側板を各折り目により上部が外側に向かって傾いた状態に折り上げ、側板の一方の端面を他端に設けられた接合片（糊代）２ｃと糊付けすることで、倒立四角錐形状に形成される。同様にグリップハンドル３も当該各側板を各折り目により折り上げ、四面に連接された側板の一方の端面を他端の接合片（糊代）３ｂと糊付けすることで、柱状に形成される。そして、トレイ保持部２の下端開口にグリップハンドル３の上端に設けられた４枚の接合片３ａを差し入れ、トレイ保持部２の各内壁面に糊付けすることで、グリップハンドル３がトレイ保持部２に垂下した状態で連結される。
【００１４】
さらに、図３に示すように、トレイ保持部２の上面開口の角隅部には、トレイ４の角部が挿入可能な透孔２ｂを有する折り返し可能なトレイ係止片２ａが設けられ、トレイ４の四隅をそれぞれこの透孔２ｂに挿入し、トレイ係止片２ａを内側に折曲することで、トレイ保持部２とトレイ４とが確実に固定されるばかりでなく、トレイ保持部２自体の保形力も高められ、耐荷重性能や防風性能も向上する。
【００１５】
図４に本考案のハンディカップに氷菓５を盛り付けた状態を示す。喫食者は、グリップハンドル３を持ってスプーン等を使って氷菓５を食すのであるが、特別な道具を用いることなく、屋外で立ったまま、あるいは歩行しながら気軽にかつファッショナブルに喫食できる。また、フラッペであれば、削りたての雪のようなふわふわした状態の氷のままで盛り付けることができ、グリップハンドル３を持った手が冷えることもなく、持った手の体温により氷菓が溶けだすこともない。なにより、倒立錐形状のトレイ保持部２に柱状のグリップハンドル３が垂下した形状は、単に実用性のみが考慮された従来の容器とは違って、その外観装飾性の大胆さや豪華さにおいて人目を引きつけることができ、需要者の購買意欲を喚起促進し高い顧客吸引力を発揮できる。勿論、トレイホルダー１の表面には文字やイラスト、写真を描出して広告媒体やノベルティとしても活用することもできる。
【００１６】
また、使用後のカップの廃棄に際しては、トレイ４とトレイホルダー１との分離を極めて容易に行うことができる。すなわち、可燃ゴミである紙製部分と不燃ゴミとしての樹脂製部分の分別廃棄に資することができる。
【００１７】
尚、上記実施例では、トレイ４の外郭形状を矩形（正方形）としているが、トレイ４の形状はこれに限定されるものではなく、三角形や六角形など多角形状ならどのようなものでもよく、また、正多角形状でなくとも、角部を備えた形状のものや円形あるは楕円形のであればよい。そして、トレイ保持部との係合に際して、トレイ保持部に穿孔した透孔に挿入できる角部や舌片を要するものであればよい。また、トレイの材質としては氷菓の載置に適した防水・保水性のある水密機能を図った材質であればよく、紙材に撥水コーティングを施したものや性分解性能のある天然物由来の材料を基材として製造すれば廃棄物処理の観点上さらに好ましい。これはトレイホルダーについても同様であるが、トレイホルダーにおいて水密性は不問である。また、盛り付ける食品も氷菓に限定されるものではなく置き換えが可能な食品であればよい。
【符号の説明】
【００１８】
１    トレイホルダー
２    トレイ保持部
２ａ  トレイ係止折片
２ｂ  トレイ角部挿入孔
２ｃ  保持側板接合片（糊代）
３    グリップハンドル部
３ａ  保持部との接合片（糊代）
３ｂ  ハンドル側板接合片（糊代）
４    トレイ
４ａ  トレイの角部
５    氷菓
【図１】
0003166536.tif 000003
【図２】
0003166536.tif 000004
【図３】
0003166536.tif 000005
【図４】
0003166536.tif 000006